(57)【要約】  【課題】  表面を汚すことのないラベル貼付装置を提供する。  【解決手段】  貼付け時に、ガラス板９０表面をローラ等でこすることが無いように貼付け対象であるガラス板９０の上面と、貼付けローラ３との間には隙間Ｇを設けてあり、剥離されたラベル９８の先端はこの隙間に入りこむ。積み重ねられたガラス板９０全体を持ち上げ、ラベル９８の先端の糊面とガラス板９０を接触し、貼付けローラ３を回転することで貼付けとガラスの送り出しを連動して行う。下流の送りローラ５はガラス板９０の下面に接触し、上面に対して汚れを起さない。厚み吸収部７によりガラス板９０の厚さが偏りをもっていても、吸収することができ貼付け面を水平にすることができる。【選択図】  図１
2006248565.tif 000002
【特許請求の範囲】
【請求項１】
ラベルを貼付する透明板を保持する透明板保持装置と、
透明板に貼付されるべきラベルを供給するラベル供給装置と、
該透明板から所定の隙間を空けて位置し、該隙間に前記ラベルが供給されると、該ラベルを透明板に押圧して貼付すると共に該透明板を送り出す、送り出しローラと、
前記ラベル供給装置から前記ラベルが前記隙間に供給されたとき、前記透明板と前記送り出しローラとを近接させる近接装置と、
を備えたことを特徴とする透明板ラベル貼付装置。
【請求項２】
前記透明板保持装置が、前記透明板のラベル貼り付け面を水平に保つ水平機構を備えた、
請求項１の透明板ラベル貼付装置。
【請求項３】
所望の内容をラベルに印刷する印刷装置と、
該ラベルを貼付する透明板を保持する透明板保持装置と、
前記ラベルを透明板に貼付すべく供給するラベル供給装置と、
該透明板から所定の隙間を空けて位置し、該隙間に前記ラベルが供給されると、該ラベルを透明板に押圧して貼付すると共に該透明板を送り出す、送り出しローラと、
前記ラベル装置から前記ラベルが前記隙間に供給されたとき、前記透明板と前記送り出しローラとを近接させる近接装置と、
を備えたことを特徴とする透明板用のラベルプリンタ。
【発明の詳細な説明】
【技術分野】
【０００１】
この発明は、プレパラート等のガラス製やプラスチック製の透明板にラベルを貼付するための透明板ラベル貼付装置に関する。
【背景技術】
【０００２】
プレパラートは通常薄いガラス板から成り、そこに観察対象である標本を装着し、顕微鏡などの観察に供するものであるが、このガラス板上に、標本の分類のために文字を記入したり、文字やバーコード等を印刷したラベルを貼付することがある。
このような作業は、従来は手書きや人手によるラベル貼り付けにより行っていた。
【発明の開示】
【発明が解決しようとする課題】
【０００３】
しかし、従来の手作業の場合、文字記入の間違いや、ラベル貼付の場合にはラベルの発行と貼り付けに時間差があり、試料とラベルの対応関係を作業者の目視に頼ることになり間違いが生じやすい問題があった。
上記点を解決するために、プリンタやラベル貼付装置を使用することが考えられるが、プレパラート等はその表面に汚れを生じないようにする必要があり、これらの装置を使用した場合、表面に汚れを生じる危険がある。
本発明は上記従来技術の問題を解決することを目的とする。
【課題を解決するための手段】
【０００４】
上記目的を達成するために、本発明はガラス板などの透明板にラベルを貼付するラベル貼付装置を提供するものであり、ラベルを貼付する透明板を保持する透明板保持装置と、透明板に貼付されるべきラベルを供給するラベル供給装置と、該透明板から所定の隙間を空けて位置し、該隙間に前記ラベルが供給されると、該ラベルを透明板に押圧して貼付すると共に該透明板を送り出す、送り出しローラと、前記ラベル供給装置から前記ラベルが前記隙間に供給されたとき、前記透明板と前記送り出しローラとを近接させる近接装置と、を備えたことを特徴とする。
以上の構成によれば、対象物である透明板の表面を汚すことがなく、従来手作業に頼っていたラベル貼付の自動化が可能である。
また、上記構成に加えて前記透明板保持装置が、前記透明板のラベル貼り付け面を水平に保つ水平機構を備えるようにすることも可能である。
【０００５】
更に請求項３の発明は透明板用のラベルプリンタであって、所望の内容をラベルに印刷する印刷装置と、該ラベルを貼付する透明板を保持する透明板保持装置と、前記ラベルを透明板に貼付すべく供給するラベル供給装置と、該透明板から所定の隙間を空けて位置し、該隙間に前記ラベルが供給されると、該ラベルを透明板に押圧して貼付すると共に該透明板を送り出す、送り出しローラと、前記ラベル装置から前記ラベルが前記隙間に供給されたとき、前記透明板と前記送り出しローラとを近接させる近接装置と、を備えたことを特徴とする。
上記構成によれば、透明板の表面を汚すことがなく必要な事項をラベルにプリントした上で直ぐに透明板に貼付することができる効果がある。そのため、試料とラベルの対応関係などに間違いが生じにくい等の利点がある。
【発明の効果】
【０００６】
本発明のラベル貼付装置によれば、透明板の表面を汚すことがなく、従来手作業に頼っていたラベル貼付の自動化が可能である、効果がある。
【発明を実施するための最良の形態】
【０００７】
以下本発明の実施の形態を図面に基づいて説明する。
図１は、本発明によるラベルプリンタの全体の概略図である。このラベルプリンタはラベル貼付装置１を備えており、プリント機構から供給されたラベルを対象物に貼付するように構成されている。
【０００８】
最初に、ラベル供給装置であるプリント機構の構成を説明する。
ラベルストッカ４０に巻かれたグラシン９９には図３に示すようにラベル９８が貼着されており、このラベル９８上に印字ヘッド４５により印字するようになっている。４４はプラテンである。熱転写リボン４２は熱転写リボンストッカ４１に巻かれ、印字ヘッド４５を経由して転写リボン巻取４３に巻き取られるように構成されている。
グラシン９９は剥離部４６において、屈曲し、その際にラベル９８はグラシン９９から剥離してラベル貼付装置１に供給されるようになっている。具体的には後述するように、貼付けローラ３の下側にラベル９８先端が潜り込んだ状態で停止するようになっている。ラベル９８の裏面には接着剤が塗布されており、ガラス板９０に簡単に接着できるようになっている。
４７は剥離用ローラ、４８はセンサである。
以上のプリント機構の構成は、従来周知の一例を示すもので、他の機構も採用可能である。
【０００９】
ラベル貼付装置１はガラス板保持装置２を有し、ここにラベル９８を貼付すべきガラス板９０をストックしてある。ガラス板保持装置２にはストックマガジン２０と、ストックマガジン２０内部を昇降するエレベータ２１が設けられており、昇降機構２２の駆動によりエレベータ２１が上昇してガラス板９０を上昇させ、プリンタ側から供給されるラベル９８をガラス板９０上に貼付するようになっている。
【００１０】
ガラス板９０は、この実施形態ではプレパラートであり、図２に示すように数ミリ程度の薄い長方形のガラス板になっている。そして、一方の端部に貼付け部９１が形成されており、この貼付け部９１には１０〜１５μｍ程度の厚さの塗料が塗布されている。
【００１１】
ストックマガジン２０は該ガラス板９０を複数枚積み重ねて保持し、一番上のガラス板９０から順にラベル９８を貼付して、送りローラ５とシュータ６により次工程に送り出すようになっている。
エレベータ２１は昇降機構２２の駆動により昇降し、ガラス板９０が送り出されるごとに上昇して、次のガラス板９０をラベル貼付位置まで上昇させるようになっている。
【００１２】
図４に示すようにガラス板９０は貼付けローラ３との間に所定の隙間Ｇを形成するように停止し、剥離部４６で剥離されたラベル９８は該隙間Ｇの間に先端が潜り込んだ状態で停止するようになっている。
この状態で、エレベータ２１が上昇し、図５に示すように貼付けローラ３によりラベル９８がガラス板９０に押し付けられ、貼付けローラ３の回転により送りローラ５方向へ送られながら、ラベル９８の貼付が行われる。ラベル９８が貼付されたガラス板９０は送りローラ５とシュータ６により次工程に送られる。
以上の構成では、貼付けローラ３はガラス板９０表面には接触せず、ラベル９８上に接触するだけであるから、貼付けローラ３によりガラス板９０表面を汚すことがない。
【００１３】
ガラス板９０の上昇位置は上限検出センサ４で検知され、図５に示すように、ガラス板９０の上面からマガジン上端２５までの段差Ｌがガラス板９０の１．５枚分相当になるようにガラス板９０の上昇停止位置を調整するようになっている。これにより、最上段のガラス板９０のみが送りローラ５側に送られる。
【００１４】
図６に示すように、エレベータ２１の上には厚み吸収部７が設けられており、この厚み吸収部７により図２に示す貼付け部９１の厚みを吸収してガラス板９０を水平に保つようになっている。
即ち傾動版７０は支軸７１に傾動可能に軸支され、スプリング７２により上方向に押圧されており、この上にガラス板９０を載置するようになっている。図６に示すようにガラス板９０が多い時には、ガラス板９０の重みでたわみ量Ｄも大きく、貼付け部９１の累積厚みも解消される。また図７に示すようにガラス板９０が少ないときはたわみ量Ｄも小さくなり、解消する厚みもガラス板９０の量に応じて少なくなる。
このスプリング７２のバネ力を適宜のものに調整すれば、貼付け部９１の厚みが解消されてガラス板９０は常に水平の位置を保つようになり、ラベル９８の貼付を円滑に行うことができる。
【００１５】
次に動作を説明する。
ラベル９８は、離型剤を塗布して剥離可能に処理されたグラシン９９に貼られ、ロール上に巻かれてラベルストッカ４０に装着されている。ラベルストッカ４０から繰り出されたラベル９８は熱転写リボン４２と重ねあわされて印字ヘッド４５とプラテン４４に供給され、印字を行う。センサ４８は印字を開始する位置を決めるためにグラシン９９単独とグラシン９９／ラベル９８が重なった部分の光の透過量でラベル先端を検出するセンサである。プラテン４４とリボンの転写リボン巻取４３にはモータ（図示せず）から動力を与えて回転させ、送り出すようになっている。
【００１６】
前記ヘッド４５とプラテン４４からなる印字機構から、印字されて出てきたラベル９８は、台紙９９を鋭角に折り返し引っ張ることにより台紙９９からラベル９８を剥離し貼付けローラ方向に押し出す。
剥離されたラベル９８は、貼付けローラ３の下の隙間Ｇに先端を潜りこませて剥離を停止する。停止するにはラベル長さをあらかじめ組み込んだ印字データを外部のコンピュータから得ることで停止位置を制御できる。
次にエレベータ２１を上昇させ、剥離したラベル９８の先端にガラス面が接触し、ラベル９８裏側に塗布してある接着剤による粘着面が接触し同時に貼付けローラ３及び送りローラ５を回転して貼付けながらガラス９０を送り出す。
【００１７】
マガジン上端２５は、前記したように上限位置よりもガラス厚さ１．５枚分相当の段差Ｌ分だけ低くなっているため、最も上にあるガラス板９０のみ搬送し、２枚目より下のガラス板９０は壁で止められて搬出されない。送り補助ローラ５は、ガラス板９０下面をこするため表面を汚すことはない。
【００１８】
上限検出センサ４は、ガラス板９０の上面がラベルの貼り付け位置にあることを検出する。ラベル９８剥離時に貼付けロール３とガラス板９０の上面との間に隙間Ｇを形成するためにも用いられる。次の手順による。
１.  前のガラス板９０の送り出しが終わったら、次のガラス板９０上面が上限検出センサ４で検出されるまでエレベータ２１を上昇する。
２.  エレベータ２１を下降し、剥離したラベル９８の先端が入る隙間Ｇを作る。
エレベータ２１の駆動は角度検出用エンコードをつけたＡＣモータか、ステッピングモータを使用し、移動量を決めるのが望ましい。
【００１９】
前記したように貼付け部９１が塗装されているタイプのガラス板９０においては、塗料の厚さが１０〜１５μｍあるのが通例である。ガラス板９０を積み上げると貼付け部９１部分が厚くなり高低差が生じ、１００枚積み重ねると１ｍｍ以上の高低差が生じる。そのため、ガラス板９０枚数が多い場合と少ない場合でストックマガジン２０におけるガラス板９０の水平状態が異なってくる。
例えば、１０μｍを１００枚ストックすると１ｍｍであり、５０枚積み上げると０．５ｍｍの高低差になる。１ｍｍは１枚のガラスの厚さに相当する。
【００２０】
前記したようにこの実施形態では、傾動版７０の片側が支軸７１で支えられ、他の一方がスプリング７２によって上下動が可能になっている。ガラス板９０の重量が加わると、支軸７１が固定端となりスプリング７２のたわみとつりあった位置まで傾動版７０の片側が沈む。ガラス板９０の重量が重いときはスプリング７２のたわみ量Ｄが大きく、ガラス板９０の枚数が少なく重量の軽いときはスプリング７２のたわみ量Ｄが小さい。スプリング７２のたわみ量Ｄは重量と比例関係にあるため、ストックするガラス板９０の枚数の多少にかかわらず貼付け部９１を水平に保つことができる。
なお、上記説明では透明板としてガラス板９０の場合を説明したが、ラベル貼付の対象物がプラスチックであっても、本発明の構成は適用可能である。
【００２１】
上記動作を実現するための制御ブロック図を図８に示す。
外部インターフェースを通してコンピュータから印字するためのデータや貼り付けするラベルのサイズの情報などを受信する。
受信した印字データを文字やバーコードなどのドットマトリクスでメモリに描画展開し、印字ヘッドに送り出す。
印字位置検出センサで検出されたラベル先端位置をもとに印字位置を制御し、印字と同時に剥離が行われる。
剥離されたあとに貼付けモータ駆動回路でガラスを送り出した後、上限位置検出センサを監視しながらエレベータモーターを上昇回転させ、センスと同時に一定パルス数下降する。
次いで次の印字データを受信していれば続いて次の印字と貼付け動作を行う。それら全体を制御するためにＣＰＵを搭載している。
【図面の簡単な説明】
【００２２】
【図１】本発明の一実施形態を示す概略図。
【図２】ガラス板９０の説明図。
【図３】ラベル９８の説明図。
【図４】ガラス板保持装置２の詳細説明図。
【図５】ガラス板保持装置２の部分拡大図。
【図６】本発明の動作説明図。
【図７】本発明の動作説明図。
【図８】本発明の制御ブロック図。
【符号の説明】
【００２３】
１：ラベル貼付装置、２：ガラス板保持装置、３：貼付けローラ、４：上限検出センサ、５：送りローラ、６：シュータ、７：厚み吸収部、２０：ストックマガジン、２１：エレベータ、２２：昇降機構、２５：マガジン上端、４０：ラベルストッカ、４１：熱転写リボンストッカ、４２：熱転写リボン、４３：転写リボン巻取、４４：プラテン、４５：印字ヘッド、４６：剥離部、４７：剥離用ローラ、４８：センサ、７０：傾動版、７１：支軸、７２：スプリング、９０：ガラス板、９１：貼付け部、９８：ラベル、９９：グラシン。
【図１】
2006248565.tif 000003
【図２】
2006248565.tif 000004
【図３】
2006248565.tif 000005
【図４】
2006248565.tif 000006
【図５】
2006248565.tif 000007
【図６】
2006248565.tif 000008
【図７】
2006248565.tif 000009
【図８】
2006248565.tif 000010